【手続補正書】
【提出日】平成20年8月12日(2008.8.12)
【手続補正１】
【補正対象書類名】明細書
【補正対象項目名】特許請求の範囲
【補正方法】変更
【補正の内容】
【特許請求の範囲】
【請求項１】
ネットワークを介して画像データを配信する画像配信サーバと、
前記画像配信サーバに接続し、画像データを受信、表示するクライアント端末とを有し、
前記クライアント端末は、前記画像配信サーバの提示する画像データに対する指示データを入力し、前記画像配信サーバに送信し、
前記画像配信サーバは前記クライアント端末からの指示データに基づいて該画像配信サーバの提示画像の評価処理を実行し、評価処理に基づく最適画像選定処理を実行する構成を有することを特徴とする画像配信システム。
【請求項２】
前記画像配信サーバの提示する画像データはクライアント端末から送信可能なカメラパラメータによって制御可能なカメラによって撮影された画像データであり、
前記クライアント端末の入力する指示データは、前記カメラの制御に適用するカメラパラメータであり、
前記画像配信サーバは前記クライアント端末から受信する多数のカメラパラメータの統計処理に基づいて最適カメラパラメータを選択し、該最適カメラパラメータの設定により前記カメラによって撮影された画像データを最適画像として選定する処理を実行する構成を有することを特徴とする請求項１に記載の画像配信システム。
【請求項３】
前記画像配信サーバの提示する画像データは、複数の異なる画像データであり、
前記クライアント端末の入力する指示データは、前記複数の異なる画像データに対する選択指示データまたは点数評価データであり、
前記画像配信サーバは前記クライアント端末から受信する多数の選択指示データまたは点数評価データの統計処理に基づいて該画像配信サーバの提示する複数の異なる画像データの評価処理を実行し、該評価処理に基づく最適画像選定処理を実行する構成を有することを特徴とする請求項１に記載の画像配信システム。
【請求項４】
前記画像配信サーバの提示する画像データは、複数の異なる画像データであり、
前記クライアント端末の入力する指示データは、画像データに対する部分領域指示データであり、
前記画像配信サーバは前記クライアント端末から受信する多数の部分領域指示データの統計処理に基づいて該画像配信サーバの提示する画像データの評価処理を実行し、該評価処理に基づく最適画像選定処理を実行する構成を有することを特徴とする請求項１に記載の画像配信システム。
【請求項５】
画像データまたは音声データの記録を実行する情報取得装置の制御を、該情報取得装置を操作するユーザの嗜好行動特性対応データに基づく特徴量により実行するユーザ嗜好ベース制御システムであり、
ユーザの嗜好行動特性データを取得する情報取得部と、嗜好行動特性データに基づいてユーザの嗜好行動特性特徴量を抽出する特徴量抽出部とを有する特徴量取得手段と、
前記特徴量取得手段の取得した特徴量データとユーザＩＤとを対応付けて格納する蓄積データベースと、
前記蓄積データベースに格納された特徴量データを受信し、該受信特徴量データに基づく制御を行なう画像データまたは音声データの記録を実行する情報取得装置と、
を有することを特徴とするユーザ嗜好ベース制御システム。
【請求項６】
前記情報取得装置は、画像撮影機能を持つビデオカメラであり、
前記特徴量取得手段は、ビデオカメラ機能を有し、前記特徴量抽出部は、撮影された画像から取得される動きベクトルデータに基づく特徴量データを生成する構成を有し、
蓄積データベースは、前記動きベクトルデータに基づく特徴量データとユーザＩＤとを対応付けて記憶し、
前記情報取得装置としてのビデオカメラは、蓄積データベースから提供される動きベクトルデータに基づく特徴量データに基づいてアクチュエータに対する制御信号を生成する構成を有することを特徴とする請求項５に記載のユーザ嗜好ベース制御システム。
【請求項７】
前記情報取得装置は、画像撮影機能を持つビデオカメラであり、
前記特徴量取得手段は、ビデオカメラ機能を有し、前記特徴量抽出部は、撮影された画像から取得される輝度データに基づく特徴量データを生成する構成を有し、
前記蓄積データベースは、前記輝度データに基づく特徴量データとユーザＩＤとを対応付けて記憶し、
前記情報取得装置としてのビデオカメラは、蓄積データベースから提供される輝度データに基づく特徴量データに基づいて撮影輝度制御部に対する制御信号を生成する構成を有することを特徴とする請求項５に記載のユーザ嗜好ベース制御システム。
【請求項８】
前記情報取得装置は、音声取得機能を持つ録音機器であり、
前記特徴量取得手段は、音声取得機能を有し、前記特徴量抽出部は、取得された音声データに基づいて音量データまたは音質データの少なくともいずれかに基づく特徴量データを生成する構成を有し、
前記蓄積データベースは、前記音量データまたは音質データの少なくともいずれかに基づく特徴量データとユーザＩＤとを対応付けて記憶し、
前記情報取得装置としての録音機器は、蓄積データベースから提供される音量データまたは音質データの少なくともいずれかに基づく特徴量データに基づいてマイクパラメータ制御部に対する制御信号を生成する構成を有することを特徴とする請求項５に記載のユーザ嗜好ベース制御システム。
【請求項９】
前記特徴量取得手段は、情報記録機能を持つカード型記録媒体であり、
前記蓄積データベースは、カード型記録媒体でに記録された画像または音楽識別情報に対応する画像データまたは音楽データに基づく特徴量データを、前記カード型記録媒体の所有ユーザの識別子に対応付けて記憶し、
前記情報取得装置は、前記蓄積データベースに格納された特徴量データを受信し、該受信特徴量データに基づく制御を行なう構成を有することを特徴とする請求項５に記載のユーザ嗜好ベース制御システム。
【請求項１０】
ユーザの嗜好行動特性データを取得する情報取得部と、嗜好行動特性データに基づいてユーザの嗜好行動特性特徴量を抽出する特徴量抽出部とを備えたことを特徴とする特徴量取得装置。
【請求項１１】
前記情報取得部は、画像データを取得するカメラ手段であり、
前記特徴量抽出部は、前記カメラ手段によって撮影された画像から取得される動きベクトルデータに基づく特徴量データを生成する構成を有することを特徴とする請求項１０に記載の特徴量取得装置。
【請求項１２】
前記情報取得部は、画像データを取得するカメラ手段であり、
前記特徴量抽出部は、前記カメラ手段によって撮影された画像から取得される輝度値データに基づく特徴量データを生成する構成を有することを特徴とする請求項１０に記載の特徴量取得装置。
【請求項１３】
前記情報取得部は、音声データを取得するマイク手段であり、
前記特徴量抽出部は、前記マイク手段によって集音された音声データから取得される音量データまたは音質データの少なくともいずれかに基づく特徴量データに基づく特徴量データを生成する構成を有することを特徴とする請求項１０に記載の特徴量取得装置。
【請求項１４】
画像データまたは音声データの記録を実行する情報取得装置であり、ユーザの嗜好行動特性対応データに基づく特徴量に基づく制御を行なう構成を有することを特徴とする情報取得装置。
【請求項１５】
前記情報取得装置は、画像データを取得するカメラ装置であり、
前記特徴量は、ユーザの嗜好行動特性に対応する画像データから求められる動きベクトルデータに基づく特徴量データであり、該特徴量データに基づいてアクチュエータに対する制御信号を生成する構成を有することを特徴とする請求項１４に記載の情報取得装置。
【請求項１６】
前記情報取得装置は、画像データを取得するカメラ装置であり、
前記特徴量は、ユーザの嗜好行動特性に対応する画像データから求められる輝度値データに基づく特徴量データであり、該特徴量データに基づいて撮影輝度制御部に対する制御信号を生成する構成を有することを特徴とする請求項１４に記載の情報取得装置。
【請求項１７】
前記情報取得装置は、音声データを取得する録音装置であり、
前記特徴量は、ユーザの嗜好行動特性に対応する音声データから求められる音量データまたは音質データの少なくともいずれかに基づく特徴量データであり、該特徴量データに基づいてマイクパラメータの制御信号を生成する構成を有することを特徴とする請求項１４に記載の情報取得装置。
【請求項１８】
ネットワークを介して画像データを配信する画像配信サーバと、前記画像配信サーバに接続し、画像データを受信、表示するクライアント端末とを有するシステムにおける画像選定方法であり、
前記クライアント端末において、前記画像配信サーバの提示する画像データに対する指示データを入力し、前記画像配信サーバに送信するステップと、
前記画像配信サーバにおいて、前記クライアント端末からの指示データに基づいて該画像配信サーバの提示画像の評価処理を実行し、評価処理に基づく最適画像選定処理を実行するステップと、
を有することを特徴とする画像選定方法。
【請求項１９】
画像データまたは音声データの記録を実行する情報取得装置の制御を、該情報取得装置を操作するユーザの嗜好行動特性対応データに基づく特徴量により実行するユーザ嗜好ベース制御方法であり、
ユーザの嗜好行動特性データを取得する情報取得ステップと、
嗜好行動特性データに基づいてユーザの嗜好行動特性特徴量を抽出する特徴量抽出ステップと、
前記特徴量データとユーザＩＤとを対応付けて蓄積データベースに格納する記憶ステップと、
前記情報取得装置において、前記蓄積データベースに格納された特徴量データを受信し、該受信特徴量データに基づく制御を行なう画像データまたは音声データの記録を実行するステップと、
を有することを特徴とするユーザ嗜好ベース制御方法。
【請求項２０】
ネットワークを介して画像データを配信する画像配信サーバと、前記画像配信サーバに接続し、画像データを受信、表示するクライアント端末とを有するシステムにおける画像選定処理をコンピュータ・システム上で実行せしめるコンピュータ・プログラムであって、
前記画像配信サーバの提示する画像データに対する指示データを前記クライアント端末から受信するステップと、
前記クライアント端末からの指示データに基づいて該画像配信サーバの提示画像の評価処理を実行するステップと、
評価処理に基づく最適画像の選定処理を実行するステップと、
を具備することを特徴とするコンピュータ・プログラム。
【請求項２１】
画像データまたは音声データの記録を実行する情報取得装置の制御を、該情報取得装置を操作するユーザの嗜好行動特性対応データに基づく特徴量により実行するユーザ嗜好ベース制御処理をコンピュータ・システム上で実行せしめるコンピュータ・プログラムであって、
ユーザの嗜好行動特性データを取得する情報取得ステップと、
嗜好行動特性データに基づいてユーザの嗜好行動特性特徴量を抽出する特徴量抽出ステップと、
前記特徴量データとユーザＩＤとを対応付けて蓄積データベースに格納する記憶ステップと、
前記情報取得装置において、前記蓄積データベースに格納された特徴量データを受信し、該受信特徴量データに基づく制御を行なう画像データまたは音声データの記録を実行するステップと、
を具備することを特徴とするコンピュータ・プログラム。
【手続補正２】
【補正対象書類名】明細書
【補正対象項目名】００２６
【補正方法】削除
【補正の内容】
【手続補正３】
【補正対象書類名】明細書
【補正対象項目名】００２７
【補正方法】削除
【補正の内容】
【手続補正４】
【補正対象書類名】明細書
【補正対象項目名】００２８
【補正方法】削除
【補正の内容】
【手続補正５】
【補正対象書類名】明細書
【補正対象項目名】００３０
【補正方法】削除
【補正の内容】
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】削除
【補正の内容】
【手続補正１４】
【補正対象書類名】明細書
【補正対象項目名】００３９
【補正方法】削除
【補正の内容】
【手続補正１５】
【補正対象書類名】明細書
【補正対象項目名】００４０
【補正方法】削除
【補正の内容】
【手続補正１６】
【補正対象書類名】明細書
【補正対象項目名】００４１
【補正方法】削除
【補正の内容】